(57)【要約】      （修正有）【課題】指先が不自由な方でも容易にパッケージをセットして錠剤を取り出せる錠剤取出し器具を提供する。【解決手段】錠剤取出し器具は、錠剤が封入されたパッケージ１の凸部を下向きにセットするパッケージセット穴１２とアーム１０を有する中板７と、錠剤飛び出し穴１３とアーム１１を有してパッケージに上から圧力を加えるための上板８、および錠剤を突き上げてパッケージ１から飛び出すように圧力を加えるためにパッケージセット穴１２に対応して設けられた突起１４とを有する下板６が、それぞれの根元の軸９で連結されて上下動できる。【選択図】図２
0003208522.tif 000002
【実用新案登録請求の範囲】
【請求項１】
パッケージ１に封入された薬の錠剤３を、前記パッケージ１から取り出すための器具であって、前記パッケージ１の凸部２を下向きにセットするパッケージセット穴１２とアーム１０を有する中板７と、錠剤飛び出し穴１３とアーム１１を有して前記パッケージ１に上から圧力を加えるための上板８および、錠剤３を突き上げて前記パッケージ１から飛び出させるための圧力を加えるために前記パッケージセット穴１２に対応して設けられた突起１４と中板７を上下動させるためのばね１５を有する下板６が、それぞれの軸９によって連結された錠剤取出し器具。
【請求項２】
中板７は、穴径の異なる複数のパッケージセット穴１２を配置し、パッケージ１を前記のパッケージセット穴１２の中心方向に誘導するためにすり鉢状に形成した請求項１に記載の錠剤取出し器具。
【請求項３】
上板８は、パッケージ１のアルミ箔面４に切り目を入れるための鋭利な先端部材１９を錠剤飛び出し穴１３の内壁部に備えている、請求項１に記載の錠剤取出し器具。
【請求項４】
錠剤取出し器具は、上板８の錠剤飛び出し穴１３から飛び出した錠剤３を散乱させずに下板６の内側の収納部１８にセットした錠剤受けトレイ１７までガイドするためのカバー１６を、上板８に取り付けた、請求項１に記載の錠剤取出し器具。
【請求項５】
上板８で上から押して錠剤３をパッケージ１から飛び出させて、空になって中板７下面に張り付いたパッケージ１を剥がすためのクッション２０を錠剤飛び出し穴１３の周囲に配置して上板８下面に付設した、請求項１に記載の錠剤取出し器具。
【考案の詳細な説明】
【技術分野】
【０００１】  本考案は、高齢者や、手先や目が不自由な方でも、特別な力や訓練を要することなく、パッケージに封入された錠剤を簡単に取り出すための手助けとなる錠剤取出し器具に関する。
【背景技術】
【０００２】  薬の錠剤のパッケージは、透明なプラスチックフィルムとアルミ箔との間に封入される構成になっており、指先等でアルミ箔を突き破って錠剤を取り出して服用する。
【先行技術文献】
【０００３】
【特許文献１】実開平０６−０００４４４号公報
【特許文献２】特開２００６−２３０５００号公報
【考案の概要】
【考案が解決しようとする課題】
【０００４】  従来の錠剤取出し器具は、錠剤のパッケージの凸部を上方向に向けて、上から押して下面のアルミ箔を突き破って下方に取り出す方式であった。この方式では、指先の不自由な方にとっては錠剤のパッケージを押し出し穴の位置に設置することが難しく、錠剤を砕いてしまう取り出せない状況が発生していた。
本考案の課題は、指先が不自由な方でも容易にパッケージをセットして錠剤を取り出す手段を提供することである。
【課題を解決するための手段】
【０００５】  本考案の錠剤取出し器具は、錠剤のパッケージの凸部を下向きにセットするパッケージセット穴とアームを有する中板と、錠剤飛び出し穴とアームを有してパッケージに上から圧力を加えるための上板および、錠剤を突き上げてパッケージから飛び出すための圧力を加えるためにパッケージセット穴に対応して設けられた突起と中板を上下動させるためのばね及びアームを有する下板が、それぞれの根元の軸によって連結される構成にしたものである。【０００６】  また、第２の課題解決手段は、前記の中板において、穴径の異なる複数のパッケージセット穴を配置し、パッケージを前述のパッケージセット穴の中心方向に誘導するためにすり鉢状に構成したものである。【０００７】  さらに、第３の課題解決手段は、前記の上板において、パッケージのアルミ箔面に切り目を入れるための鋭利な先端部材を錠剤飛び出し穴の内壁部に備える構成としたものである。
【考案の効果】
【０００８】  上述したように、本考案によって、薬の錠剤のパッケージの凸部が下向きにセットされて、錠剤が飛び出し穴から上のほうに飛び出す錠剤取出し器具を提供することができる。【０００９】  また、穴径の異なる複数のパッケージセット穴が配置され、その穴がすり鉢状になっているためにパッケージが穴の中心方向に誘導されるため、指先の不自由な方でも位置合わせが容易な錠剤取出し器具を提供することができる。【００１０】  さらに、パッケージのアルミ箔面に切り目を入れるための鋭利な先端部材が錠剤飛び出し穴の内壁部に備えられているために、指先の不自由な方でも確実に小さな力で錠剤が取り出せる錠剤取出し器具を提供することができる。
【図面の簡単な説明】
【００１１】
【図１】本考案の取出し器具の対象とする錠剤のパッケージの外観（Ａ）とパッケージの断面図（Ｂ）
【図２】同錠剤取出し器具の外観図
【図３】同錠剤取出し器具の中板のパッケージセット穴の部分の平面図（Ａ）との断面図（Ｂ）
【図４】同錠剤取出し器具の中板と上板の、鋭利な先端部材近辺の断面図
【図５】同錠剤取出し器具の、カバーと錠剤受けトレイを含めた断面図
【考案を実施するための形態】
【００１２】  以下、本考案の実施の形態を図１〜図６に基づいて説明する。
【００１３】  図１は、本考案の錠剤取出し器具の対象とする錠剤のパッケージ１であり、錠剤３が透明フィルム５とアルミ箔面４の間に封入されている。
【００１４】  図２は、本考案の錠剤取出し器具の全体図であり、パッケージ１に封入された薬の錠剤３を、パッケージ１の凸部２を下向きにセットするパッケージセット穴１２とアーム１０を有する中板７と、錠剤飛び出し穴１３とアーム１１を有してパッケージに上から圧力を加えるための上板８および、錠剤を突き上げてパッケージから飛び出すための圧力を加えるためにパッケージセット穴１２に対応して設けられた突起１４と中板７を上下動させるためのばね１５及びアーム１０を有する下板６が、それぞれの根元にある軸９によって連結されている。
【００１５】  中板７には、穴径の異なる３個のパッケージセット穴１２を配置されており、パッケージ１をパッケージセット穴１２の中心方向に誘導するためにすり鉢状になっている。
【００１６】  さらに上板８においては、パッケージのアルミ箔面４に切り目を入れるための鋭利な先端部材２０を錠剤飛び出し穴１３の内壁部に備えている。
【００１７】  また、上板８の錠剤飛び出し穴１３から飛び出した錠剤３を散乱させずに下板６の内側の収納部１８にセットした錠剤受けトレイ１７までガイドするためのカバーを、上板８に取り付けている。
【００１８】  さらに、上板８で上から押して錠剤３をパッケージ１から飛び出させて、空になって上板８下面に張り付いたパッケージ１を剥がすためのクッション２０が錠剤飛び出し穴１３の周辺に配置して上板８に付設されている。
【符号の説明】
【００１９】  １…パッケージ、２…凸部、３…錠剤、４…アルミ箔面、５…透明フィルム、６…下板、７…中板、８…上板、９…軸、１０…中板アーム、１１…上板アーム、１２…パッケージセット穴、１３…錠剤飛び出し穴、１４…突起、１５…ばね、１６…カバー、１７…錠剤受けトレイ、１８…収納部、１９…先端部材、２０…クッション
【図１】
0003208522.tif 000003
【図２】
0003208522.tif 000004
【図３】
0003208522.tif 000005
【図４】
0003208522.tif 000006
【図５】
0003208522.tif 000007